(57)【要約】【課題】使用者が医療に関する資料情報を要請したら、連結した医療システムから必要とする資料情報を得られ、中央集中的な管理により使用者に自動的に医療の資料情報を提供する統合医療のサービス提供方法等を提供すること。【解決手段】複数の医療システムを統合する統合医療システムであって、使用者に、蓄積された医療情報の出力要請信号を使用者入力情報として入力許容する使用者入力手段と、前記使用者入力情報をこれに対応した統合されるシステムに伝達する使用者入力伝達手段と、前記システムに伝達した前記使用者入力情報が出力要請信号の場合には、対応する医療情報を前記システムから受信する情報受信手段と、前記受信した医療情報のデータ形式を確認するデータ形式確認手段と、前記受信した医療情報を、確認したデータ形式に基づいて変換し、使用者に出力する情報出力手段とを有する統合医療システム。【選択図】　　図１
2004030555.tif 000002
【特許請求の範囲】
【請求項１】
新生児室に設置された複数のカメラを通じて撮影された新生児の映像を、妊婦の病室を含んだ他の所にリアルタイムで提供し、病院の所定データベースと連結されて遠隔の診療サービスを提供する新生児の統合管理システム、ＰＡＣＳ又はＯＣＳを含むシステムらを連動して病院の診療に関する統合医療サービスの提供方法であって、
（ａ）所定の入力手段を使用して前記新生児の統合管理システム、前記ＰＡＣＳ又は前記ＯＣＳを含めたシステムの中の一つのシステムに貯蔵された固有の資料情報を要請するか、資料情報を入力するステップと、
（ｂ）上記の資料情報要請や入力を該当するシステムに伝達するステップと、
（ｃ）上記の伝達された資料情報要請を受信したシステムがその要請に対応する資料情報を伝送、又は入力事項を受信完了したという確認のメッセージを伝送するステップと、
（ｄ）上記の伝送された資料情報やメッセージを受信して資料情報のデータ形式を確認するステップと、
（ｅ）上記の伝送された資料情報やメッセージを上記の（ｄ）ステップで確認されたデータ形式によって所定の変換過程を通じ、形式を変換して使用者に出力するステップとを含むことを特徴とする
統合医療サービスの提供方法。
【請求項２】
上記（ａ）ステップの所定の入力手段はウェブパッド又はＰＤＡを利用し、
上記（ｅ）ステップでは、上記（ｃ）ステップで伝送された資料情報を、上記（ａ）ステップで入力手段として使用されたウェブパッド又はＰＤＡの画面を通じて出力される形式に変換し、使用者に出力することを特徴とする
請求項１に記載の統合医療サービスの提供方法。
【請求項３】
上記（ａ）ステップで前記新生児の統合管理システム、前記ＰＡＣＳ又は前記ＯＣＳ中で２以上の複数のシステムに同時に資料情報を要請して、
上記（ｄ）ステップで複数のシステムから受信した資料情報を受信して各資料情報のデータ形式の確認をし、
上記（ｅ）ステップで上記に受信された各資料情報のデータ形式別に資料情報を変換して所定の様式に従って配置して使用者に同時に出力することを特徴とする請求項１又は２に記載の統合医療サービスの提供方法。
【請求項４】
新生児室に設置された複数のカメラを通じて撮影された新生児の映像を妊婦の病室を含んだ他の所にリアルタイムで提供し、病院の所定のデータベースと連結されて遠隔の診療サービスを提供する新生児の統合管理システム、ＰＡＣＳ又はＯＣＳを含むシステムらを連動させて病院の診察に関する統合医療サービスの提供装置であって、
前記新生児の統合管理システム、前記ＰＡＣＳ又は前記ＯＣＳを含むシステムに使用者が必要とする資料情報の要請を入力するか、そのシステムに資料情報を入力するための使用者入力部と、
前記使用者入力を通じて入力された資料情報要請や入力された資料情報を該当するシステムに伝達する使用者入力伝達部と、
上記の使用者入力伝達部を通じて伝達された資料情報要請に関する応答で、伝送される資料情報や、入力された資料情報を受信完了したというメッセージを受信する資料情報受信部と、
上記の資料情報受信部を通じて伝達された資料情報やメッセージのデータ形式を確認するデータ形式確認部と、
前記データ形式確認部で確認されたデータ形式に従って前期資料情報受信部を通じて受信された資料情報やメッセージの形式を所定の形式に変換して使用者に出力する資料情報出力部とを含むことを特徴とする
統合医療サービスの提供装置。
【請求項５】
前記使用者入力部はウェブパッド又はＰＤＡを含み、
前記資料情報出力部は上記の資料情報受信部を通じて受信された資料情報やメッセージを前記ウェブパッド又はＰＤＡの画面を通じて出力される形式に変換して、使用者に出力することを特徴とする
請求項４に記載の統合医療サービスの提供装置。
【請求項６】
前記資料情報出力部はセットアップボックスであり、前記資料情報受信部を通じて受信された資料情報やメッセージのデータ形式に従って、受信された資料情報やメッセージの形式を変換してＴＶ、モニタを含むディスプレーの手段で使用者に出力することを特徴とする
請求項４又は５に記載の統合医療サービスの提供装置。
【請求項７】
前記使用者入力部を通じて使用者の出力環境に関する情報が上記の出力部に伝送され、
前記資料情報出力部を通じて使用者の出力環境に関する情報を含めて、上記に受信された資料情報やメッセージの形式を変換することを特徴とする
請求項４乃至６のうちいずれか１に記載の統合医療サービスの提供装置。
【請求項８】
コンピュータに、請求項１に記載の統合医療のサービス提供方法を実行させるコンピュータプログラム。
【請求項９】
請求項８に記載のコンピュータプログラムを記録した記録媒体。
【請求項１０】
新生児室に設置した複数の撮影手段によって撮影した新生児の映像を新生児情報として前記新生児室と離れた場所に提供する新生児総合管理システム、ＰＡＣＳ及びＯＣＳのうちいずれか２以上と連結してこれらのシステムを統合する統合医療システムであって、
使用者に、前記統合されるシステムのうち一つに蓄積された医療情報の出力要請信号を使用者入力情報として入力許容する、又は新規な医療情報を使用者入力情報として入力許容する使用者入力手段と、
前記使用者入力情報をこれに対応した統合されるシステムに伝達する使用者入力伝達手段と、
前記システムに伝達した前記使用者入力情報が出力要請信号の場合には、対応する医療情報を前記システムから受信し、新規な医療情報の場合には、入力事項の入力完了確認のメッセージを受信する情報受信手段と、
前記受信した医療情報又はメッセージのデータ形式を確認するデータ形式確認手段と、
前記受信した医療情報又はメッセージを、確認したデータ形式に基づいて、必要に応じてデータ形式を変換して使用者に出力する情報出力手段とを有する
統合医療システム。
【請求項１１】
前記使用者入力手段、及び情報出力手段を、携帯用個人端末装置によって構成した
請求項１０に記載の統合医療システム。
【請求項１２】
前記使用者入力手段を、前記新生児の総合管理システム、前記ＰＡＣＳ又は前記ＯＣＳのうち、いずれか２以上のシステムに同時に医療情報の出力要請信号を入力許容するように構成し、
前記情報出力手段を、かかる２以上のシステムから受信した医療情報を、各々のデータ形式に基づいて、必要に応じてデータ形式を変換するとともに、所定の様式に従って配置して使用者に同時に出力するように構成した
請求項１０又は１１に記載の統合医療システム。
【請求項１３】
前記情報出力手段を、画像出力手段で構成した
請求項１０乃至１２のうちいずれか１に記載の統合医療システム。
【請求項１４】
前記使用者入力手段を、使用者の出力環境に関する出力環境情報を入力許容するように構成し、
前記情報出力手段を、受信した医療情報及びメッセージのデータ形式を、受信した前記出力環境情報に対応したデータ形式に変換して使用者に出力するように構成した
請求項１０乃至１３のうちいずれか１に記載の統合医療システム。
【請求項１５】
請求項１０に記載の統合医療システムにおいて、コンピュータを、
前記使用者入力手段、前記使用者入力伝達手段、前記情報受信手段、前記データ形式確認手段、および前記情報出力手段として機能させる
コンピュータプログラム。
【請求項１６】
請求項１５に記載のコンピュータプログラムを記録した記録媒体。
【発明の詳細な説明】
【０００１】
【発明の属する技術分野】
本発明は病院の業務の情報化に関するもので、新生児の総合管理システムＯＣＳ又はＰＡＣＳのような病院の業務又は管理システムを連動させて医療サービスを提供する方法、装置又はそのシステムに関するものである。
【０００２】
【従来の技術】
新生児の総合管理システムは、新生児室での新生児の映像をインターネットのような通信網を通じリアルタイムで提供し、これを離れた所にいる出産後の妊婦、家庭や医者に伝達してオンラインを通じ遠隔診療を含め新生児に関する総合的なサービスを提供するシステムである。新生児の総合管理システムは新生児室に設置された複数のカメラを通じて撮影された新生児の映像を妊婦の病室を含んだ他の所にリアルタイムで提供し病院の所定のデータベースと連結されて遠隔の診療サービスを提供する。新生児の総合管理システムに関するものは本発明の出願人が出願した特許出願２００２−２６５５４に詳細に記載されている。
【０００３】
ＯＣＳ（Ｏｒｄｅｒ　Ｃｏｍｍｕｎｉｃａｔｉｏｎ　Ｓｙｓｔｅｍ、医療処方システム）は病院で使用している既存の全ての業務を電算処理をするシステムである。院務業務、診療業務、診療支援業務、病院管理業務などのサービスを提供する。
【０００４】
ＰＡＣＳ（Ｐｉｃｔｕｒｅ　Ａｒｃｈｉｖｉｎｇ　＆　Ｃｏｍｍｕｎｉｃａｔｉｏｎ　Ｓｙｓｔｅｍ、医療映像装置システム）は従来の各種の医療映像装備で患者を撮影したフィルムを通じて映像判読をしていたものを、医療用映像設備から直接デジタル化した映像情報を得てネットワークを利用し、映像を伝送してコンピュータ画面を通じてすぐに判読するとともに、貯蔵・蓄積できるようにするシステムである。一般的な医療映像用のフィルム製作の関連費用は物価上昇と需要減少で費用上昇の趨勢だがＰＡＣＳを利用したデジタル方式のイメージデータの保管は技術の発展で毎年急速に費用減少され幅広く使用されている。
【０００５】
ＰＡＣＳを利用して医療映像に関した遠隔地での判読が可能になり、家、他の病院からも判読が可能で一つの病院内でも、医者が移動することなく、各端末機での診断が可能であり、患者が他の病院に移動したとしても映像情報を遠隔地に発送して準備が出来るため使用する所がますます増えてきている。
【０００６】
上記に説明したシステムらは各々それぞれの病院で使用されているが、各システムらは独立に使用されているだけで、各システムの結果物は他のシステムに伝達されず、効率的には使用されていない。
【０００７】
従って、病院での運営又は診療に使用できる自動化されたシステムらを使用しながら、各システムの間の資料情報交換など全然行われず、他のシステムから出力される資料情報を使用するには手作業又は不便な過程を経て使用している問題がある。
【０００８】
【発明が解決しようとする課題】
上記の問題点を解決するため、本発明が解決しようとする課題は、例えば、医者のような使用者が医療や診療に関する資料情報を要請したら、新生児の総合管理システム、ＰＡＣＳ、ＯＣＳなどのような医療システムから必要とする資料情報を得られ、中央集中的な管理により使用者に自動的に医療の資料情報を提供する統合医療のサービス提供方法又はその装置、並びにシステムを提供することにある。
【０００９】
本発明が解決しようとする他の技術的な課題は、上記の方法を実行するコンピュータプログラム及び、これを記録した記録媒体を提供することにある。
【００１０】
【課題を解決するための手段】
上記の技術的な課題を解決するため、本発明の統合医療サービスの提供方法は、新生児室に設置された複数のカメラを通じて撮影された新生児の映像を、妊婦の病室を含んだ他の所にリアルタイムで提供し、病院の所定データベースと連結されて遠隔の診療サービスを提供する新生児の統合管理システム、ＰＡＣＳ（Ｐｉｃｔｕｒｅ　Ａｒｃｈｉｖｉｎｇ　＆　Ｃｏｍｍｕｎｉｃａｔｉｏｎ　Ｓｙｓｔｅｍ）又はＯＣＳ（Ｏｒｄｅｒ　Ｃｏｍｍｕｎｉｃａｔｉｏｎ　Ｓｙｓｔｅｍ）を含むシステムらを連動して病院の診療に関する統合医療サービスの提供方法であって、（ａ）所定の入力手段を使用して前記新生児の統合管理システム、前記ＰＡＣＳ又は前記ＯＣＳを含めたシステムの中の一つのシステムに貯蔵された固有の資料情報を要請するか、資料情報を入力するステップと、（ｂ）上記の資料情報要請や入力を該当するシステムに伝達するステップと、
（ｃ）上記の伝達された資料情報要請を受信したシステムがその要請に対応する資料情報を伝送、又は入力事項を受信完了したという確認のメッセージを伝送するステップと、（ｄ）上記の伝送された資料情報やメッセージを受信して資料情報のデータ形式を確認するステップと、（ｅ）上記の伝送された資料情報やメッセージを上記の（ｄ）ステップで確認されたデータ形式によって所定の変換過程を通じ、形式を変換して使用者に出力するステップとを含むことを特徴とする。
【００１１】
上記と異なる発明の態様として、本発明の統合医療サービスの提供装置は、新生児室に設置された複数のカメラを通じて撮影された新生児の映像を妊婦の病室を含んだ他の所にリアルタイムで提供し、病院の所定のデータベースと連結されて遠隔の診療サービスを提供する新生児の統合管理システム、ＰＡＣＳ又はＯＣＳを含むシステムらを連動させて病院の診察に関する統合医療サービスの提供装置であって、前記新生児の統合管理システム、前記ＰＡＣＳ又は前記ＯＣＳを含むシステムに使用者が必要とする資料情報の要請を入力するか、そのシステムに資料情報を入力するための使用者入力部と、前記使用者入力を通じて入力された資料情報要請や入力された資料情報を該当するシステムに伝達する使用者入力伝達部と、上記の使用者入力伝達部を通じて伝達された資料情報要請に関する応答で、伝送される資料情報や、入力された資料情報を受信完了したというメッセージを受信する資料情報受信部と、上記の資料情報受信部を通じて伝達された資料情報やメッセージのデータ形式を確認するデータ形式確認部と、前記データ形式確認部で確認されたデータ形式に従って前期資料情報受信部を通じて受信された資料情報やメッセージの形式を所定の形式に変換して使用者に出力する資料情報出力部とを含むことを特徴とする。
【００１２】
さらに上記と異なる発明の態様として、前記の統合医療のサービス提供方法を実行させるコンピュータプログラム及び、該コンピュータプログラムを記録した記録媒体とすることもできる。
【００１３】
また、本発明の別の表現態様として、新生児室に設置した複数の撮影手段によって撮影した新生児の映像を新生児情報として前記新生児室と離れた場所に提供する新生児総合管理システム、ＰＡＣＳ及びＯＣＳのうちいずれか２以上と連結してこれらのシステムを統合する統合医療システムであって、使用者に、前記統合されるシステムのうち一つに蓄積された医療情報の出力要請信号を使用者入力情報として入力許容する、又は新規な医療情報を使用者入力情報として入力許容する使用者入力手段と、前記使用者入力情報をこれに対応した統合されるシステムに伝達する使用者入力伝達手段と、前記システムに伝達した前記使用者入力情報が出力要請信号の場合には、対応する医療情報を前記システムから受信し、新規な医療情報の場合には、入力事項の入力完了確認のメッセージを受信する情報受信手段と、前記受信した医療情報又はメッセージのデータ形式を確認するデータ形式確認手段と、前記受信した医療情報又はメッセージを、確認したデータ形式に基づいて、必要に応じてデータ形式を変換して使用者に出力する情報出力手段とを有する統合医療システムとすることもできる。
【００１４】
望ましい構成態様として、前記使用者入力手段、及び情報出力手段を、携帯用個人端末装置によって構成することができる。
また、前記使用者入力手段を、前記新生児の総合管理システム、前記ＰＡＣＳ又は前記ＯＣＳのうち、いずれか２以上のシステムに同時に医療情報の出力要請信号を入力許容するように構成し、前記情報出力手段を、かかる２以上のシステムから受信した医療情報を、各々のデータ形式に基づいて、必要に応じてデータ形式を変換するとともに、所定の様式に従って配置して使用者に同時に出力するように構成することができる。
さらに、前記情報出力手段を、画像出力手段で構成することができる。
加えて、前記使用者入力手段を、使用者の出力環境に関する出力環境情報を入力許容するように構成し、前記情報出力手段を、受信した医療情報及びメッセージのデータ形式を、受信した前記出力環境情報に対応したデータ形式に変換して使用者に出力するように構成することができる。
【００１５】
この発明の態様においても、前記統合医療システムにおいて、コンピュータを、前記使用者入力手段、前記使用者入力伝達手段、前記情報受信手段、前記データ形式確認手段、および前記情報出力手段として機能させるコンピュータプログラム及び、該コンピュータプログラムを記録した記録媒体とすることができる。
【００１６】
【発明の実施の形態】
以下からは添付した図面を参照して、本発明の実施例を詳細に説明する。
図１は本発明による統合医療サービスの提供方法の流れを図示したものである。この方法は新生児室に設置された複数のカメラを通じて撮影された新生児の映像を妊婦の病室を含んだ他の所にリアルタイムで提供し、病院の所定のデータベースと連結して遠隔の診療サービスを提供する新生児の総合管理システム、ＰＡＣＳ（Ｐｉｃｔｕｒｅ　Ａｒｃｈｉｖｉｎｇ　＆　Ｃｏｍｍｕｎｉｃａｔｉｏｎ　Ｓｙｓｔｅｍ）又はＯＣＳ（Ｏｒｄｅｒ　Ｃｏｍｍｕｎｉｃａｔｉｏｎ　Ｓｙｓｔｅｍ）を含むシステムらに連動して病院の診療に関するサービスを提供する。
【００１７】
所定の入力手段を使用して新生児の総合管理システム、ＰＡＣＳ又はＯＣＳを含むシステムの中の一つのシステムに貯蔵された固有の資料情報や医療情報などのデータを要請するか、そのシステムの資料情報を入力して（ステップＳ１００）、上記のデータの要請や入力される資料情報や医療情報を該当するシステムに伝達する（ステップＳ１１０）。
【００１８】
上記の伝達されたデータの要請を受信したシステムがその要請に対応する資料情報や医療情報、及び入力された資料情報等が正しく伝達された事を表すメッセージを伝送したら（ステップＳ１２０）、上記の伝送された資料情報等やメッセージを受信して資料情報等又はメッセージのデータの形式を確認して（ステップＳ１３０）、上記の伝送された資料情報等やメッセージをステップＳ１３０で確認されたデータ形式により所定の変換過程を通じて形式を変換して使用者に出力する（ステップＳ１４０）。
【００１９】
図２は、本発明による統合医療サービスの提供装置の構成をブロックで図示したものである。
【００２０】
新生児室に設置されている複数のカメラを通じて撮影された新生児の映像を妊婦の病室を含んだ他の所にリアルタイムで提供し、病院の所定のデータベースと連結されて遠隔診療サービスを提供する新生児の総合管理システム（２００）、ＰＡＣＳ（２１０）、又はＯＣＳ（２２０）を含むシステムに使用者が必要とする資料情報等を要請するかそのシステムで伝達される資料情報等を入力するための使用者入力部（２３０）、使用者入力部（２３０）を通じ入力された資料情報要請や入力資料情報等を該当するシステム（２００、２１０、２２０）に伝達する使用者入力伝達部（２４０）、使用者入力伝達部（２４０）を通じて伝達されたデータの要請に関する応答で伝送される資料情報等や入力資料情報等を正しく受信したことを表すメッセージを受信する資料情報受信部（２５０）、資料情報受信部（２５０）を通じて伝達された資料情報等やメッセージのデータ形式を確認するデータ形式確認部（２６０）、及びデータ形式確認部（２６０）から確認された形式により資料情報受信部（２５０）を通じ受信された資料情報等やメッセージの形式を所定の形式に変換して使用者に出力する資料情報出力部（２７０）を含む。
【００２１】
図３は、図２の構成の実施例を図示したものである。参照番号２００、２１０、２２０のシステムらは図２のものと同一である。統合管理サーバー（３００）は図２の使用者入力伝達部（２４０）、資料情報受信部（２５０）、データ形式確認部（２６０）の機能を含めており、応用例によっては資料情報出力部（２７０）の機能の全部又は一部を果たすことも出来る。下記からは、図３の構成を中心に本発明の動作を説明する。
【００２２】
使用者は所定の入力手段を通じて自分が必要とする資料情報を要請する（ステップＳ１００）。この時に使用される入力手段はウェブパッド（３２０）又はＰＤＡ（３４０）などの携帯用個人端末装置を利用できる。
【００２３】
ウェブパッド（３２０）を通じて入力される使用者の資料情報の要請はパーソナルコンピュータのような個人用端末装置（３１０）を用い、例えば、インターネットのような電気通信網を通じて統合管理サーバー（３００）に伝わる。この時、パーソナルコンピュータのような個人用端末装置（３１０）にはセットアップボックスのような機能を含められる。これに関しては下記に再び説明する。
【００２４】
ＰＤＡ（３４０）を通じて入力される使用者の資料情報の要請にも個人用端末装置（３３０）を用い、例えば、インターネットのような電気通信網を通じて統合管理サーバー（３００）に伝達される。この時、参照番号３３０の装置は例えば、別途のデータの伝送ケーブルを通じてＰＤＡ（３４０）と連結出来なければならない。又は、参照番号３３０の装置は無線で動作するＬＡＮのような装置を含め、ＰＤＡもやはりこの装置に対応する無線通信装置を含めて使用者の入力を統合管理サーバー（３００）に伝達出来なければならない。この時ＰＤＡと連結される機能が参照番号３３０に含まれた、又は連結されたセットアップボックスに含まれる。
【００２５】
図面には図示されていないが、ＰＤＡが直接、統合管理サーバー（３００）と無線で通信して使用者の入力を伝達出来る。統合管理サーバー（３００）も無線でＰＤＡと接続できる装置を含んでいなければならない。又はＰＤＡが無線で通信できる手段を通じて、例えば、インターネットのような電気通信網を通じ使用者の入力が伝送できる。この場合には統合管理サーバーはウェブサーバーのような電気通信網に接続できる機能を含むか、ウェブサーバーに連結してインターネットの接続が可能でなければならない。
【００２６】
使用者の入力は参照番号３５０のような個人用端末装置又はセットアップボックス機能を含んだ、又はセットアップボックスに連結された個人用端末装置を通じて入力出来る。この時にはキーボード、マウスのような入力手段と適切なプログラムが提供する画面を通じて使用者の入力が統合管理サーバー（３００）に伝達できる。
【００２７】
又は使用者入力部（２３０）や３１０や３５０などの個人用端末装置を通じて、使用者がシステムに伝送しようとする資料情報を入力することもできる。例えば、医者が回診の時に病室から患者の診療後、その病室に設置されている入力手段を通じて患者に関する処方箋の入力が出来、その処方箋はＯＣＳ（２２０）に伝送される。
【００２８】
上記のようなステップＳ１００の段階で認可された使用者だけに使用権を与えるためＩＤと暗証番号のような使用者の情報を入力する過程を加えられる。本発明による機能を利用する使用者が専門医のような専門入力で病院の内部、外部に関係なく本発明による機能を使用できるため使用環境により使用者の認識・識別が重要な過程になる。
【００２９】
使用者が使用者入力部（２３０）や３１０や３５０などの装置を通じて入力する情報はデータの種類など、そのデータが位置したシステムによって異なってくる。例えば、使用者が要請するデータが新生児の総合管理システムにある場合、使用者が入力するのは観察しようとする新生児の病室又はベッドの番号、観察する時間帯などが情報になる。又は、特定の新生児に関する動画映像の撮影を前もって予約できる。即ち、新生児の総合管理システムに直接接続せず病室で治療中又は診療中、他の病院で又は病院でなく他の所（例えば家）で、必要とする映像をリアルタイムや、録画された映像を要請できるのである。
【００３０】
又は、ＯＣＳ（２２０）で患者の診療による処方箋を直接、使用者入力部（２４０）を通じて入力も出来、入力されるデータは処方箋に関する情報になる。使用者の対象がＰＡＣＳ（２１０）の場合には指定された場所ではない病室での診療中にも病室に設置されているウェブパッド（３２０）やセットアップボックス（３５０）を使用者入力部（２３０）にして必要とする患者の情報、患者の患部に関する医療的な映像を指定して入力出来るのである。
【００３１】
統合管理サーバー（３００）で伝達された使用者の資料情報要請は統合管理サーバー（３００）内に含まれている使用者入力伝達部（２４０）から資料情報要請の対象のシステムがどれなのかが区別できる。該当するシステムへ、使用者の要請事項を伝達する（ステップＳ１１０）。
【００３２】
使用者が入力したものが処方箋のような資料情報の場合にも同じく伝達する（ステップＳ１１０）。
【００３３】
資料情報に関する入出要請、又は資料情報の入力を受けるシステムは資料情報の入出要請の場合はその要請に該当する資料情報を統合管理サーバー（３００）に伝送する（ステップＳ１２０）。この資料情報は患者に以前に処置された処方箋かもしれないし、その患者の医療映像資料情報のグラフィックデータかもしれない。又は、新生児が録画されたリアルタイムの動画映像データである場合もある。
【００３４】
使用者がシステムに入力する資料情報をステップＳ１１０で受信した場合は、資料情報入力が定常的に完了されたというメッセージがステップＳ１２０で伝達される。万が一このメッセージがない場合、使用者は再び入力資料情報を伝送することが必要である場合もある。
【００３５】
資料情報受信部（２５０）では、システムから伝送される資料情報やメッセージを受信してデータ形式確認部（２６０）に伝達する。
【００３６】
３１０や３５０の使用者入力手段らと統合管理サーバー（３００）、統合管理サーバー（３００）と２００や２２０のシステムらの間、連結は有線の専用回線を通じて達成され、例えば、インターネット等と同じ電気通信網であり、応用の例によれば無線通信も可能である。しかし、特に使用者入力部らが病院内で使用されるとしたら、有線で連結される方が望ましい。無線通信が使用される場合、医療機器の誤作動を誘発する可能性があるためである。
【００３７】
データ形式確認部（２６０）では入力された資料情報やメッセージのデータ形式を確認する（ステップＳ１３０）。メッセージの場合には資料情報が正しく入力されたという確認のメッセージ、又はエラー発生のメッセージなのでメッセージの形式を使用者が見分け出来るようにテキストの形式に変換して使用者に伝達したらよい。
【００３８】
資料情報出力部（２７０）は各システムから伝送された資料情報又はメッセージをデータ形式確認部（２６０）から確認されたデータ形式を参照し、使用者の出力環境による他の形式に変換して使用者に出力する（ステップＳ１４０）。
【００３９】
受信された資料情報の形式が例えばチャートの場合、そのチャートを提供したＯＣＳでチャートを生成したデータ形式（データフォーマット）が使用者に表示する時のデータ形式と異なる場合には、適切にデータ形式を変換する。要請した資料情報がＰＡＣＳに貯蔵している医療映像の場合も、貯蔵されていたデータ形式が使用者の画面に表示するデータと合わないときには、適切に変換する。その他にも要請した資料情報が新生児に関する動画映像の場合は、使用者の画面に表示する適切な形式に変換する。
【００４０】
上記に説明したデータ形式の変換は、使用者に出力する環境に多様な場合、特に必要となる。例えば、使用者が要請した資料情報をＰＤＡのような制限されたディスプレー手段を通じて見るようになった場合、ステップＳ１００で、このように使用者の出力環境に関する情報が一緒に伝達され、このような情報がデータ形式確認部（２６０）に伝達されて使用者に出力する時に反映される（例えば、解像図を低くし、小さい画像で効率的に見られるように資料情報の再配置など）場合には、伝送された資料情報は高解像図用だが出力手段はそれより低い解像図だけを提供するように、参照番号２００や２２０のシステムらから伝送される資料情報の形式を変換して、使用者に出力しなければならない。
【００４１】
そのためステップＳ１００で、所定の入力手段として、ウェブパッド又はＰＤＡなどの携帯用個人端末装置を利用した場合には、ステップＳ１２０で伝送された資料情報やメッセージをステップＳ１４０で上記の入力手段で使用されたウェブパッド又はＰＤＡなどの携帯用個人端末装置の画面を通じて出力される形式に変換して使用者に出力する方が望ましい。
【００４２】
上記に説明したのは新生児の総合管理システム（２００）から伝送される動画映像の関連資料情報の場合も同じく適用される。
【００４３】
従って、このため、使用者入力部（２３０）を通じて使用者の出力環境に関する情報が資料情報出力部（２７０）に伝達され、資料情報出力部（２７０）は上記の使用者の出力環境に関する情報を含めて上記の受信した資料情報やメッセージの形式を変換するのが望ましい。
【００４４】
従って、資料情報出力部（２７０）は、ある場合にはデータ形式の変化がほぼなく（メッセージ伝送の場合になる）、ある場合には使用者の出力環境によりデータ形式を変換して使用者に出力することになる。
【００４５】
統合管理サーバー（３００）が上記に説明された資料情報出力部（２７０）の機能を全部果たすことも出来る。又は資料情報出力部（２７０）の機能を参照番号３１０、３３０又は３５０に表示するセットアップボックスから又はセットアップボックス機能を含めているパーソナルコンピュータなどの個人用端末装置で果たすことも可能である。このようなデータ形式変換を統合管理サーバー（３００）で、又は別途のセットアップボックスなどにより、容易に行うことも出来る。
【００４６】
従って、資料情報出力部（２７０）はセットアップボックスであり、資料情報受信部（２５０）を通じて受信された資料情報のデータ形式により上記の受信された資料情報の形式を変換し、ＴＶ、モニタを含んだディスプレー手段で使用者に出力するのが望ましい。特にこういう場合は、セットアップボックスを通じて使用者の入力を受け、これを通じて使用者に関する出力も提供出来るようになる。
【００４７】
図２又は図３とのような構成を持った装置を使用する場合、例えば医者が病室で診察した患者のチャートとＭＲＩ写真を一つの画面に映し出して見る必要がある場合もある。そのためステップＳ１００で新生児の総合管理システム、ＰＡＣＳ又はＯＣＳの中で二つ以上の複数のシステムに同時にデータを要請し、ステップＳ１３０では複数のシステムから受信した資料情報を受信して各データの形式を確認して、ステップＳ１４０では上記に受信された各データ形式別に資料情報を変換して所定の様式に従って配置して使用者に同時に出力するのが望ましい。即ち、使用者である医者がＰＡＣＳ（２１０）にはその患者のＭＲＩ写真資料情報を要請してＯＣＳ（２２０）にはその患者に関する処方箋の資料情報を要請した場合、その要請によって受信された資料情報らを適切に変換して一つの画面を通じて使用者に再び提供するのである。この場合、医者は以前の資料情報らを参照して再び処方箋を入力する。この新しい処方箋はＯＣＳ（２２０）に入力されてＯＣＳ（２２０）はこれに対して、新しい処方箋に関して確認したメッセージを伝送してこのメッセージが使用者に再び表示され、入力完了を表す。
【００４８】
本発明が属する技術分野で通常の知識を持った者は、本発明が本発明に本質的な特徴から切り離されない範囲で、変更された他の形式で表せることが理解できるだろう。だから本開始された実施例らは、限定的な観点ではなく、あくまでも、説明的な観点から考えるべきである。上記の説明に含まれた例は、本発明に関する理解のため導入されたもので、この例は本発明の思想と範囲を限定するものではない。例えば、上記の説明からは電気通信網の例でインターネットを主としていたが、このＰＳＴＮのような公衆電話と通信網のようなものを利用しても可能で、上記の例以外にも、本発明による多様な実施が可能であることは本発明に属する技術分野で通常の知識を有する者には容易に想到できる。本発明の範囲は、前に述べた説明ではなく請求範囲に表されていて、これと同等な範囲にある全ての技術が、本発明に含まれていると認められるべきである。
【００４９】
又は、本発明による上記の各ステップは一般的なプログラミングという技法を利用して、ソフトウェア的に又はハードウェア的に多様に表せるという事は、この分野の通常の技術を持った者なら容易に分かることである。
【００５０】
そして本発明の一部ステップも、同じくコンピュータで読み取れる記録媒体にプログラムとして表すことが可能である。コンピュータが読み取れる記録媒体は、コンピュータのシステムにより読み取れるデータが貯蔵される全ての種類の記録装置を含む。コンピュータが読み取れる記録媒体の例としては、ＲＯＭ、ＲＡＭ、ＣＤ−ＲＯＭ、ＣＤ−ＲＷ、磁気テープ、フレキシブルディスク、ＨＤＤ、光ディスク、光磁気ディスクなどがあり、又はケーリアウェーブ（例えば、インターネットを通じた伝送）形態で表されるもの含む。又はコンピュータが読み取れる記録媒体は、ネットワークに連結されたコンピュータシステムに分散されて、分散方式でコンピュータが読み取れるプログラムとして貯蔵されて実行される場合も含む。
【００５１】
【発明の効果】
本発明によると、互いに異なる資料情報や医療情報を貯蔵・蓄積している既存のシステムを統合すると共に、必要に応じて、これらの情報のデータ形式を変換して出力することができるので、患者の診療又は処方を容易に出来、病院のネットワーク事業に大いに役立つのである。それに本発明は病室内のセットアップボックスとウェブパッドを利用して無線ではなく有線で使用できるため医療装備やその他の装備に誤作動の影響を与えない。
【００５２】
従って、現在の専門医らは撮影されたＰＡＣＳの映像を判読室で判読して指定された特定な場所でしか見られないため、ＰＡＣＳ映像判読ための専門医の作業が複雑で効率が落ちる問題があるが、本発明によるサービスを利用した場合は各病室で直接診察又は処方が出来るのである。これを通じ病室のネットワーク設備によって病院内部に装置したすべてのネットワーク連結がしやすくなり、これを拡張して遠隔の診察システムを構築して高いレベルで診察が可能である。
【００５３】
結局、担当の医者が診療室や患者の状態を撮影したフィルムの判読室だけではなく、患者が入院している病室からも診療の確認又は処方まで出来るようになって、総合的な病室のネットワークの診療システムが整えられる基盤が、容易に達成出来るのである。
【図面の簡単な説明】
【図１】本発明による統合医療サービスの提供方法の流れを図示したものである。
【図２】本発明による統合医療サービスの提供装置の構成をブロックで図示したものである。
【図３】本発明による統合医療サービスの提供装置の実施例を構成して図示したものである。
【符号の説明】
２００…新生児総合管理システム
２１０…ＰＡＣＳ
２２０…ＯＣＳ
２３０…使用者入力部
２４０…使用者入力伝達部
２５０…資料情報受信部
２６０…データ形式確認部
２７０…資料情報出力部
３１０、３３０、３５０…セットアップボックス
３２０…ウェブパッド
３４０…ＰＤＡ
【図１】
2004030555.tif 000003
【図２】
2004030555.tif 000004
【図３】
2004030555.tif 000005